(57)【要約】【課題】表示パネルに光センサを配置して画像読取を行う場合に、画像読取開始ボタンを設けることなく、画像読取を自動的に開始できるようにした画像読取装置を提供する。【解決手段】画像読取装置１０は、表示パネルを備えた表示部１と、表示パネルを照明する光源と、表示パネルの光源と反対側に格子状に配置された光センサと、光センサで受光した光の信号強度に基づいて表示面に接触する原稿の画像を読み取るスキャン制御部２とを備える。スキャン制御部２は、光源を消灯するなど、光源から照射される光の影響がない状態において光センサで受光した光の信号強度が閾値以下であるか否かを判定し、光センサで受光した光の信号強度が閾値以下と判定した場合に、原稿の画像の読み取りを開始する。【選択図】図２
2011055347.tif 000002
【特許請求の範囲】
【請求項１】
表示パネルと、該表示パネルを照明する光源と、前記表示パネルの前記光源と反対側に格子状に配置された光センサと、該光センサで受光した光の信号強度に基づいて前記表示パネルの表示面に接触する原稿の画像を読み取る読取制御手段とを備えた画像読取装置であって、
前記光源から照射される光の影響がない状態において前記光センサで受光した光の信号強度が閾値以下であるか否かを判定する信号強度判定手段を備え、前記読取制御手段は、前記信号強度判定手段により前記光センサで受光した光の信号強度が閾値以下と判定された場合に、前記原稿の画像の読み取りを開始することを特徴とする画像読取装置。
【請求項２】
請求項１に記載の画像読取装置において、前記信号強度判定手段は、ユーザによる操作指示に応じて、前記光源から照射される光の影響がない状態に移行し、前記光センサで受光した光の信号強度が閾値以下であるか否かを判定することを特徴とする画像読取装置。
【請求項３】
請求項１又は２に記載の画像読取装置において、前記光源から照射される光の影響がない状態は、前記光源を消灯又は該光源の輝度を低減した状態であることを特徴とする画像読取装置。
【請求項４】
請求項１又は２に記載の画像読取装置において、前記光源から照射される光の影響がない状態は、前記表示パネルに黒色画面を表示させた状態であることを特徴とする画像読取装置。
【請求項５】
請求項１に記載の画像読取装置において、前記光源を所定時間毎に点滅させ、点灯時には、前記表示パネルにユーザに読取開始を促すメッセージを表示し、また、消灯時には、前記光センサで受光した光の信号強度が閾値以下であるか否かを判定することを特徴とする画像読取装置。
【請求項６】
請求項１〜５のいずれか１項に記載の画像読取装置において、前記光センサで受光した光の信号強度が閾値以下と判定され、該閾値以下の信号強度が所定回数以上検出された場合に、前記読取制御手段は、前記原稿の画像の読み取りを開始することを特徴とする画像読取装置。
【請求項７】
請求項１〜６のいずれか１項に記載の画像読取装置において、前記配置された全ての光センサで受光した光の信号強度を検出し、該検出した信号強度が閾値以下であると判定した場合に、前記読取制御手段は、前記原稿の画像の読み取りを開始することを特徴とする画像読取装置。
【請求項８】
請求項１〜６のいずれか１項に記載の画像読取装置において、前記配置された全ての光センサで受光した光の信号強度を検出し、該検出した信号強度が閾値以下であると判定した領域の面積が所定値よりも大きい場合に、前記読取制御手段は、前記原稿の画像の読み取りを開始することを特徴とする画像読取装置。
【請求項９】
請求項８に記載の画像読取装置において、前記読取制御手段は、前記光センサで受光した光の信号強度が閾値以下であると判定した領域のみを、読み取り対象領域とすることを特徴とする画像読取装置。
【請求項１０】
請求項１〜９のいずれか１項に記載の画像読取装置において、前記表示パネルの表示面への照射光を単一色とし、前記読取制御手段は、前記原稿の画像を読み取る際に、前記単一色の画像を読み取ることを特徴とする画像読取装置。
【請求項１１】
請求項１０に記載の画像読取装置において、前記単一色は、白色であることを特徴とする画像読取装置。
【請求項１２】
請求項１０に記載の画像読取装置において、前記単一色は、赤色、緑色、青色であり、前記読取制御手段は、赤色、緑色、青色を順次切り替えて各色の画像を読み取り、該読み取った各色の画像を合成することでカラー画像を生成することを特徴とする画像読取装置。
【請求項１３】
請求項１２に記載の画像読取装置において、前記光源は、赤色光、緑色光、青色光の光源で構成され、前記原稿の画像を読み取る際に、赤色光、緑色光、青色光の光源を順次切り替えて点灯することにより前記表示パネルの表示面への照射光を単一色とすることを特徴とする画像読取装置。
【請求項１４】
請求項１２に記載の画像読取装置において、前記表示パネルは、液晶パネルで構成され、前記原稿の画像を読み取る際に、赤色、緑色、青色の液晶カラーフィルタを制御することにより前記表示パネルの表示面への照射光を単一色とすることを特徴とする画像読取装置。
【発明の詳細な説明】
【技術分野】
【０００１】
本発明は、表示パネルに設けられた光センサにより画像を読み取る機能を備えた画像読取装置に関する。
【背景技術】
【０００２】
液晶表示装置は、携帯電話機やノート型コンピュータなどの携帯機器における表示装置として幅広く利用されている。また、近年、画素内に光センサを内蔵し、光センサへ入射される光信号の解析により表示画面からの情報入力を可能にしたものが開発されている。このような機器においては、光センサに指を近づけたり、接触させたりしたときの撮像データの変化を検出し、且つ、周囲の明るさを考慮に入れて指の座標位置を特定することで、指等がタッチしている座標値を画像処理によって認識することができる。これにより、例えば、タッチパネルやスキャナとして機能させることが出来る。
【０００３】
例えば、特許文献１には、上記の光センサをタッチパネルとして用いた表示装置が記載されている。このようなタッチパネルの場合、接触している座標が分かればよく、周囲が明るい環境である場合は外光に対する指の影を用い、一方、周囲が暗い場合には液晶画面の光の反射光により接触部分が明るくなることを利用して、接触部分の座標を検出することができる。
【先行技術文献】
【特許文献】
【０００４】
【特許文献１】特開２００４−３１８８１９号公報
【発明の概要】
【発明が解決しようとする課題】
【０００５】
ここで、携帯電話機等の小型携帯機器が備える表示パネルに画像読み取り可能な光センサを配置した場合、画像読み取り（スキャン）時には、表示パネルの表示面が読み取り対象面と重なっているため、表示面とは異なる面上に読み取り開始を指示するためのボタン等を配置しなければならない。例えば、小型携帯機器の背面や側面などに、画像読取開始ボタンを配置するため機器の形状に制約ができる上に、新たなボタンを配置するためにコストの増加にもつながる。
【０００６】
また、表示パネル上に画像読取開始ボタンを設けておき、このボタンによるスキャン指示から一定時間後に読み取りを開始することでスキャンを実現する方法も考えられる。しかし、この場合には、ユーザがスキャン開始まで一定時間待たされたり、ユーザの準備（原稿のセットなど）がスキャン開始に間に合わずにスキャンに失敗してしまったり、という問題がある。
【０００７】
本発明は、上述のごとき実情に鑑みてなされたものであり、表示パネルに光センサを配置して画像読取を行う場合に、画像読取開始ボタンを設けることなく、画像読取を自動的に開始できるようにした画像読取装置を提供すること、を目的とする。
【課題を解決するための手段】
【０００８】
上記課題を解決するために、本発明の第１の技術手段は、表示パネルと、該表示パネルを照明する光源と、前記表示パネルの前記光源と反対側に格子状に配置された光センサと、該光センサで受光した光の信号強度に基づいて前記表示パネルの表示面に接触する原稿の画像を読み取る読取制御手段とを備えた画像読取装置であって、前記光源から照射される光の影響がない状態において前記光センサで受光した光の信号強度が閾値以下であるか否かを判定する信号強度判定手段を備え、前記読取制御手段は、前記信号強度判定手段により前記光センサで受光した光の信号強度が閾値以下と判定された場合に、前記原稿の画像の読み取りを開始することを特徴としたものである。
【０００９】
第２の技術手段は、第１の技術手段において、前記信号強度判定手段は、ユーザによる操作指示に応じて、前記光源から照射される光の影響がない状態に移行し、前記光センサで受光した光の信号強度が閾値以下であるか否かを判定することを特徴としたものである。
【００１０】
第３の技術手段は、第１又は第２の技術手段において、前記光源から照射される光の影響がない状態は、前記光源を消灯又は該光源の輝度を低減した状態であることを特徴としたものである。
【００１１】
第４の技術手段は、第１又は第２の技術手段において、前記光源から照射される光の影響がない状態は、前記表示パネルに黒色画面を表示させた状態であることを特徴としたものである。
【００１２】
第５の技術手段は、第１の技術手段において、前記光源を所定時間毎に点滅させ、点灯時には、前記表示パネルにユーザに読取開始を促すメッセージを表示し、また、消灯時には、前記光センサで受光した光の信号強度が閾値以下であるか否かを判定することを特徴としたものである。
【００１３】
第６の技術手段は、第１〜第５のいずれか１の技術手段において、前記光センサで受光した光の信号強度が閾値以下と判定され、該閾値以下の信号強度が所定回数以上検出された場合に、前記読取制御手段は、前記原稿の画像の読み取りを開始することを特徴としたものである。
【００１４】
第７の技術手段は、第１〜第６のいずれか１の技術手段において、前記配置された全ての光センサで受光した光の信号強度を検出し、該検出した信号強度が閾値以下であると判定した場合に、前記読取制御手段は、前記原稿の画像の読み取りを開始することを特徴としたものである。
【００１５】
第８の技術手段は、第１〜第６のいずれか１の技術手段において、前記配置された全ての光センサで受光した光の信号強度を検出し、該検出した信号強度が閾値以下であると判定した領域の面積が所定値よりも大きい場合に、前記読取制御手段は、前記原稿の画像の読み取りを開始することを特徴としたものである。
【００１６】
第９の技術手段は、第８の技術手段において、前記読取制御手段は、前記光センサで受光した光の信号強度が閾値以下であると判定した領域のみを、読み取り対象領域とすることを特徴としたものである。
【００１７】
第１０の技術手段は、第１〜第９のいずれか１の技術手段において、前記表示パネルの表示面への照射光を単一色とし、前記読取制御手段は、前記原稿の画像を読み取る際に、前記単一色の画像を読み取ることを特徴としたものである。
【００１８】
第１１の技術手段は、第１０の技術手段において、前記単一色は、白色であることを特徴としたものである。
【００１９】
第１２の技術手段は、第１０の技術手段において、前記単一色は、赤色、緑色、青色であり、前記読取制御手段は、赤色、緑色、青色を順次切り替えて各色の画像を読み取り、該読み取った各色の画像を合成することでカラー画像を生成することを特徴としたものである。
【００２０】
第１３の技術手段は、第１２の技術手段において、前記光源は、赤色光、緑色光、青色光の光源で構成され、前記原稿の画像を読み取る際に、赤色光、緑色光、青色光の光源を順次切り替えて点灯することにより前記表示パネルの表示面への照射光を単一色とすることを特徴としたものである。
【００２１】
第１４の技術手段は、第１２の技術手段において、前記表示パネルは、液晶パネルで構成され、前記原稿の画像を読み取る際に、赤色、緑色、青色の液晶カラーフィルタを制御することにより前記表示パネルの表示面への照射光を単一色とすることを特徴としたものである。
【発明の効果】
【００２２】
本発明によれば、表示パネルに設けられた光センサの信号強度が閾値以下であることを検出した場合に、画像読取を自動的に開始できるため、装置の背面や側面などに画像読取開始ボタンを配置せずにすみ、ユーザに煩わしい操作を強いることなく画像読取を行うことが出来る。
【図面の簡単な説明】
【００２３】
【図１】本発明に係る画像読取装置が備える表示部の構成例を示す図である。
【図２】本発明に係る画像読取装置の構成例を示すブロック図である。
【図３】本発明の第１の実施形態に係る画像読取装置による画像読取処理の一例を説明するための図である。
【図４】本発明の第１の実施形態に係る画像読取装置による画像読取処理の他の例を説明するための図である。
【図５】本発明の第１の実施形態に係る画像読取装置のスキャン開始判定方法の一例を説明するためのフロー図である。
【図６】本発明に係る画像読取装置のバックライト光源を点滅させたときの状態の一例を説明するための図である。
【図７】本発明の画像読取装置によるカラー画像を取得するためのスキャン方法の一例を説明するためのフロー図である。
【図８】本発明の第２の実施形態に係る画像読取装置による画像読取処理の一例を説明するための図である。
【図９】本発明の第２の実施形態に係る画像読取装置のスキャン開始判定方法の一例を説明するためのフロー図である。
【発明を実施するための形態】
【００２４】
以下、添付図面を参照しながら、本発明の画像読取装置の好適な実施の形態について説明する。
【００２５】
（第１の実施形態）
本実施形態においては、表示画面の大きさよりも読取対象原稿が縦横共に大きい場合、すなわち、表示画面が読取対象原稿によって覆われる場合の画像読取処理について説明する。
【００２６】
図１は、本発明に係る画像読取装置が備える表示部の構成例を示す図である。図中、１は表示部、１５はバックライト光源、１６は読取対象原稿を示す。表示部１は、画像読取部としても機能し、表示パネル１１、センサ回路層１２、及び保護カバー１４を備え、表示パネル１１の背面側にバックライト光源１５が設けられている。また、表示パネル１１は、ガラス１１ａ、液晶層１１ｂ、及びガラス１１ｃで構成されている。本実施形態のバックライト光源１５は赤（Ｒ）、緑（Ｇ）、青（Ｂ）の３原色からなる光源を持つＲＧＢ-ＬＥＤ(Light Emitting Diode)バックライトか、あるいは、白色ＬＥＤ等によって実現できる白色光源を用いるものとし、ＲＧＢ-ＬＥＤバックライトを用いたときはＲ、Ｇ、Ｂの各色の照射光の発光輝度を個別に調整制御できるように構成されている。
【００２７】
光センサ１３は、センサ回路層１２に、画素ごとに１個ずつ格子状に設けられているものとする。光センサ１３は、例えば、フォトダイオードなどで構成され、光センサ１３に入射する光量に応じて電流が流れ、当該電流によって変化した電位に基づいて画像の各画素の階調レベルが特定される。これにより、センサ回路層１２に投射される光量に応じて、各画素部分の階調レベルを表現可能な画像が取得される。なお、バックライト光源１５からの光を光センサ１３が直接感知しないように、各光センサ１３の下部には、図示しないライトシールドが設けられる。
【００２８】
図２は、本発明に係る画像読取装置の構成例を示すブロック図で、図中、１０は画像読取装置を示す。画像読取装置１０は、光センサ１３により画像読取部としても機能する表示部１（図１参照）と、光センサ１３で受光した光の信号強度に基づいて各色（Ｒ，Ｇ，Ｂ）の画像を生成するスキャン制御部２と、スキャン制御部２で生成された各色（Ｒ，Ｇ，Ｂ）の画像を保存するメモリ３と、メモリ３に保存された各色（Ｒ，Ｇ，Ｂ）の画像を合成してカラー画像を生成する画像データ合成部４と、表示部１の表示制御を行う表示制御部５とを備える。この表示制御部５は、液晶層１１ｂを制御する液晶制御部６と、バックライト光源１５を制御するバックライト制御部７とで構成される。また、画像データ合成部４で合成されたカラー画像は表示出力あるいはメモリ３に出力される。
【００２９】
図３は、本発明の第１の実施形態に係る画像読取装置１０による画像読取処理の一例を説明するための図である。画像読取装置１０によるスキャン操作を行う場合、図３（Ａ）に示すように、ユーザ（操作者）は画像読取装置１０を背面から把持し、表示部１の表示面を下に向けた状態で、画像読取装置１０を読取対象原稿１６に近づける。そして、図３(Ｂ)に示すように、表示部１の表示面を読取対象原稿１６に密着させることで、外光からの影響をほとんど受けることなく、光センサ１３により、バックライト光源１５の光が読取対象原稿１６に反射した反射光を受光することが出来る。また、図４に示すように、図３の例とは逆に、画像読取装置１０の表示部１の表示面を上にして、読取対象原稿１６を上から密着させるようにしてもよい。
【００３０】
本発明の主たる特徴部分は、表示パネルに光センサを配置して画像読取を行う場合に、画像読取開始ボタンを設けることなく、画像読取を自動的に開始できるようにすることにある。このための構成として、画像読取装置１０は、表示パネル１１と、表示パネル１１を照明する光源の一例であるバックライト光源１５と、表示パネル１１のバックライト光源１５と反対側に格子状に配置された光センサ１３と、光センサ１３で受光した光の信号強度に基づいて表示パネル１１（すなわち表示部１）の表示面に接触する読取対象原稿１６の画像を読み取る読取制御手段に相当するスキャン制御部２とを備える。
【００３１】
また、スキャン制御部２は、バックライト光源１５から照射される光の影響がない状態において光センサ１３で受光した光の信号強度が閾値以下であるか否かを判定する信号強度判定手段として機能し、この信号強度判定手段により光センサ１３で受光した光の信号強度が閾値以下と判定された場合に、読取対象原稿１６の画像の読み取りを開始する。ここで、画像読取装置１０で画像読取処理を行う場合に、例えば、ユーザが表示部１等に設けられた“スキャンモード設定ボタン（図示せず）”を押下すると、画像読取装置１０がスキャンモードに設定され、バックライト光源１５から照射される光の影響がない状態に移行する。この状態としては、例えば、バックライト光源１５を消灯した状態、あるいは、バックライト光源１５の輝度を十分下げた状態、あるいは、液晶層１１ｂを制御して表示パネル１１に黒色画面を表示させた状態などが考えられる。
【００３２】
上記のように構成することで、表示パネルに設けられた光センサで受光した光の信号強度が閾値以下であることを検出した場合に、画像読取を自動的に開始できるため、装置の背面や側面などに画像読取開始ボタンを配置せずにすみ、ユーザに煩わしい操作を強いることなく画像読取を行うことが出来る。
【００３３】
本実施形態では、表示部１の表示面よりも読取対象原稿１６のほうが大きいため、スキャン制御部２は、表示部１の表示面の下層に配置された全ての光センサ１３で受光した光の信号強度を検出し、検出した信号強度が閾値以下であると判定した場合に、読取対象原稿１６の画像の読み取りを開始するものとする。
【００３４】
ここで、本発明の各実施形態においては、各光センサ１３で受光した光の信号強度を検出し、光センサ毎に閾値を判定するものとして説明するが、これに限定されず、本実施形態のように表示面より大きい原稿を読み取る場合などでは、各光センサ１３で受光した光の信号強度の平均値を求め、この平均値を閾値と比較してもよい。また、予め表示面上に読取エリアを設定しておき、読取エリア内の光センサ１３に対して、受光した光の信号強度が閾値以下と判定された光センサの個数が所定数以上であるか否かを判定してもよい。
【００３５】
図５は、本発明の第１の実施形態に係る画像読取装置１０のスキャン開始判定方法の一例を説明するためのフロー図である。まず、画像読取装置１０は、ユーザからの操作指示に従ってスキャン機能を利用するためのスキャンモードを検出する。これは、タッチパネル機能によるユーザの選択操作や、表示面側に取り付けられたボタン等によって行われる（ステップＳ１）。そして、画像読取装置１０は、スキャンモードを検出したら、例えば、すべてのバックライト光源１５を消灯させ、光センサ１３で受光した光の信号強度（すなわち、受光レベル）を検出する。この光センサ１３で受光した光の信号強度の検出は周期的に行われるものとする（ステップＳ２）。
【００３６】
次に、上記ステップＳ２で検出した各光センサ１３の受光レベルから光を検出したか否かを判定し、これにより読取対象原稿１６に表示面全体が密着しているか否かを判断する（ステップＳ３）。各光センサ１３の受光レベルにより光を検出したと判定した場合（ＹＥＳの場合）、表示面が読取対象原稿１６に密着していないものとみなし、ステップＳ２に戻り、続けてバックライト光源１５を消灯したまま光センサ１３で受光する。また、ステップＳ３において、各光センサ１３の受光レベルにより光を検出しないまたは微弱な光しか検出しないと判定した場合（ＮＯの場合）、表示面が読取対象原稿１６に密着しているものとみなし、スキャン動作に入る。なお、ステップＳ３において、受光レベルが小さい微弱な光に対しては閾値を設けておき、受光レベルが閾値以下の場合に、読取対象原稿１６が密着していると判断するようにしている。
【００３７】
ここで、上記ステップＳ３での光の検出方法は、各光センサ１３において一定時間の受光を周期的に行い、一回または複数回の受光結果によって判断することができる。一回の受光結果で判断する場合、例えば、各光センサ１３で１秒間の受光を周期的に行い、予め設定した閾値を下回る強度の光しか検出しなかった場合に、スキャン動作を開始する。また、複数回の受光結果で判断してもよい。すなわち、スキャン制御部２は、各光センサ１３で受光した光の信号強度が閾値以下と判定され、閾値以下の信号強度が所定回数以上検出された場合に、読取対象原稿１６の画像の読み取りを開始するようにしてもよい。例えば、各光センサ１３で１/６０秒毎の受光を周期的に行い、１００回続けて予め設定した閾値を下回った場合にスキャン動作を開始する。
【００３８】
図６は、本発明に係る画像読取装置１０のバックライト光源１５を点滅させたときの状態の一例を説明するための図である。バックライト光源１５は一定時間おきの点滅を行うことで、ユーザに対する操作を促すことが出来る。例えば、図６に示すように、２秒おきにバックライト光源１５を点滅させ、点灯時（図６（Ａ）の状態）では、ユーザにスキャンを開始することを促すメッセージを表示させる。一方、消灯時（図６（Ｂ）の状態）では、光センサ１３で受光した光の信号強度が閾値以下であるか否かを判定する処理、すなわち、スキャンを開始するか否かを判断する処理を実行する。これによって、ユーザに上記メッセージを提示しながらスキャン開始の判断を行うことが可能となる。
【００３９】
さらに、図５のフローにおいて、画像読取装置１０のスキャン時には、対応する単一色を全画面で表示し、スキャンを開始することで目的とする画像を得る（ステップＳ４）。ここで、対応する単一色とは、液晶カラーフィルタを通ることで得られる赤、緑、青の各色の単一色表示、あるいは、バックライトのＬＥＤを赤、緑、青のどれか一つだけを点灯させることによって得られる単一色表示、あるいは、赤、緑、青の全ての光もしくは白色ＬＥＤを点灯させることによって得られる白色光を指すものとする。
【００４０】
以上の動作、すなわち、画像読取装置１０でスキャンする際に、ユーザの操作によりスキャンモードを指定し、表示部１の表示面を読取対象原稿１６に密着させるだけで、自動的にスキャンを開始させることができるため、ユーザが表示面上のタッチパネルやボタン操作等を行う必要がなく、装置の背面や側面などに画像読取開始ボタンを配置せずにすむ。また、ユーザはスキャン指示から一定時間待つ必要がないため、スキャンの失敗を無くし、一定時間待たなければならないという煩わしさを解消することができる。
【００４１】
ここで、上述したように、表示部１（表示パネル１１）の表示面への照射光を単一色とし、スキャン制御部２は、読取対象原稿１６の画像を読み取る際に、単一色の画像を読み取るように制御するが、この単一色は、白色であってもよく、あるいは、赤色、緑色、青色のいずれかであってもよい。単一色を赤色、緑色、青色のいずれかとした場合、スキャン制御部２は、赤色、緑色、青色を順次切り替えて各色の画像を読み取り、読み取った各色の画像を合成することでカラー画像を生成することができる。
【００４２】
上記において、単一色の光を照射する方法としては、ＬＥＤのバックライト光源１５を赤色光、緑色光、青色光で構成し、読取対象原稿１６の画像を読み取る際に、赤色光、緑色光、青色光の光源を順次切り替えて点灯することにより表示面への照射光を単一色とすることが考えられる。また、表示部１の液晶層１１ｂ（液晶カラーフィルタ）を制御するようにしてもよい。この場合、読取対象原稿１６の画像を読み取る際に、赤色、緑色、青色の液晶カラーフィルタを制御することにより表示面への照射光を単一色とすることができる。
【００４３】
図７は、本発明の画像読取装置１０によるカラー画像を取得するためのスキャン方法の一例を説明するためのフロー図である。前述の図５で説明したスキャン開始の判定方法に従って、スキャン開始がなされた場合、図７に示すフローに従って、スキャンしてカラー画像を取得する。
【００４４】
まず、画像読取装置１０は、前述のステップＳ２（図５）で消灯していたバックライト光源１５の中から赤色ＬＥＤのみを点灯する（ステップＳ１１）。そして、画像読取装置１０は、赤色画面を全画面表示する。この時、バックライト光源１５は赤色光であり、液晶層１１ｂにおける液晶カラーフィルタで制御を行っても赤色が表示されるが、このバックライト光源１５の代わりに液晶層１１ｂにおける液晶カラーフィルタを用いて赤色表示を行うようにしてもよい（ステップＳ１２）。そして、画像読取装置１０は、バックライト光源１５から照射された赤色光が読取対象原稿１６で反射した反射光を各光センサ１３によって所定時間受光する。この受光時間は予め決定された値であり、表示面からの発光強度や光センサ１３の受光感度によって異なるものとする（ステップＳ１３）。そして、画像読取装置１０は、赤色光によって得られた画像をメモリ３等の記憶手段に記録する。（ステップＳ１４）。
【００４５】
続いて、画像読取装置１０は、緑色ＬＥＤのみを点灯させ、緑色についても上記のステップＳ１１〜Ｓ１４と同様の処理を行って、緑色光に対する画像を得る（ステップＳ１５〜Ｓ１８）。但し、各光センサ１３は、波長によって受光感度が異なることを考慮し、受光時間は予め設定した赤色光とは異なる値を用いるものとする。
【００４６】
続いて、画像読取装置１０は、青色ＬＥＤのみを点灯させ、青色についても上記のステップＳ１１〜Ｓ１４と同様の処理を行って、青色光に対する画像を得る（ステップＳ１９〜Ｓ２２）。但し、各光センサ１３は、緑色光の場合と同様に、波長によって受光感度が異なることを考慮し、受光時間は予め設定した赤色光とは異なる値を用いるものとする。
【００４７】
以上の手順によって得られた読取対象原稿１６のＲ、Ｇ、Ｂそれぞれの画像データを合成することにより被写体（読取対象原稿１６）のカラー画像を生成する（ステップＳ２３）。このようにして、読取対象原稿１６の画像をカラーで生成することが可能となるが、白色光、もしくは、赤、緑、青の内の一色の画面表示によって、画像を生成し、モノクロの画像を得ることも同様に可能である。
【００４８】
（第２の実施形態）
図８は、本発明の第２の実施形態に係る画像読取装置１０による画像読取処理の一例を説明するための図である。本実施形態では、図８に示すように、表示部１の表示面の大きさよりも小さい読取対象原稿１６に対して読み取りを行う場合について説明する。ただし、この時の画像取得は、表示面全体のスキャンによるものでもよいし、スキャン対象（読取対象原稿１６）に該当するエリアだけをスキャンしても良い。
【００４９】
すなわち、本実施形態において、スキャン制御部２は、表示部１の表示面の下層に配置された全ての光センサ１３で受光した光の信号強度を検出し、検出した信号強度が閾値以下であると判定した領域の面積が所定値よりも大きい場合に、読取対象原稿１６の画像の読み取りを開始する。このようにすることで、光センサ１３からのノイズによる誤検出や、指などが誤って接触していた場合に、これらを誤ってスキャンすることを防止することが出来る。なお、スキャン制御部２は、光センサ１３で受光した光の信号強度が閾値以下であると判定した領域のみを、読み取り対象領域としてもよい。
【００５０】
図９は、本発明の第２の実施形態に係る画像読取装置１０のスキャン開始判定方法の一例を説明するためのフロー図である。なお、ステップＳ３１、Ｓ３２の処理は前述の図５のフローにおけるステップＳ１、Ｓ２の処理と同様であるため、ここでの説明は省略する。
【００５１】
画像読取装置１０は、バックライト光源１５の消灯時に、各光センサ１３によって表示面の全領域で光を受光しない領域（暗部）を検出したか否かを判定する（ステップＳ３３）。このとき、表示面の全領域で暗部を検出した場合（ＹＥＳの場合）、前述の第１の実施形態で示した場合と同じであり、読取対象原稿１６が表示面に密着していると判断し、表示面の全領域を対象にスキャンを開始する（ステップＳ３４）。また、ステップＳ３３において、表示面の全領域で暗部を検出しなかった場合（ＮＯの場合）、バックライト光源１５を消灯したまま各光センサ１３で受光し、部分的に暗部があるか否かを判定する（ステップＳ３５）。
【００５２】
そして、画像読取装置１０は、ステップＳ３５において、部分的に光を受光しない暗部があると判定した場合（ＹＥＳの場合）、暗部として検出された領域の画像を得るためにスキャンを開始する（ステップＳ３６）。ここで、暗部として検出される領域が、一定以上の面積の場合にスキャンを開始することが望ましい。これによって、光センサ１３からのノイズによる誤検出や、指などが誤って接触していた場合に、これらを誤ってスキャンすることを防止することが出来る。なお、一定以上の面積の暗部が複数検出された場合、スキャンの対象となる領域は複数となる。また、ステップＳ３５において、部分的に光を受光しない暗部がないと判定した場合（ＮＯの場合）、ステップＳ３２に戻り、処理を繰り返す。
【００５３】
ここで、ステップＳ３５における光の検出方法は、前述のステップＳ３における方法と同様であり、一定時間、複数回の受光動作によって暗部として検出する領域を判断すればよい。
【００５４】
本実施形態では、スキャンの対象となる領域のみを画像として生成することが出来るが、上述したように、スキャンの対象となる領域が複数検出された場合、複数の領域を同時に生成することも可能である。
【００５５】
これまで液晶表示装置に係るＬＥＤバックライト光源もしくは液晶層を制御する方法について説明を行ってきたが、必ずしもＬＥＤバックライトを有する液晶である必要はなく、冷陰極管をバックライトとして利用する液晶の液晶層の制御や、自発光型の画素における光源を制御して画像読取を行うことも、同様の方法で可能であることは言うまでもない。
【符号の説明】
【００５６】
１…表示部、２…スキャン制御部、３…メモリ、４…画像データ合成部、５…表示制御部、６…液晶制御部、７…バックライト制御部、１０…画像読取装置、１１…表示パネル、１１ａ，１１ｃ…ガラス、１１ｂ…液晶層、１２…センサ回路層、１３…光センサ、１４…保護カバー、１５…バックライト光源、１６…読取対象原稿。
【図１】
2011055347.tif 000003
【図２】
2011055347.tif 000004
【図３】
2011055347.tif 000005
【図４】
2011055347.tif 000006
【図５】
2011055347.tif 000007
【図６】
2011055347.tif 000008
【図７】
2011055347.tif 000009
【図８】
2011055347.tif 000010
【図９】
2011055347.tif 000011